(57)【要約】【課題】屋内外設置に対応した経時測定が可能な放射線測定装置を提供すること。【解決手段】放射線測定装置は、入射された放射線のエネルギーに応じた信号を出力する放射線センサーと、放射線センサーからの信号のレベルを値が異なる複数のしきい値の各々と比較して、信号のレベルがしきい値以上であればパルスを出力する比較器と、比較器から出力されたパルスをしきい値毎にカウントするカウンターと、カウンターによってカウントされたしきい値毎のカウント値から、複数のしきい値に基づく放射線のエネルギー帯毎のカウント数を算出するエネルギー帯別カウント数算出部と、放射線センサーの温度を検出する温度センサーと、温度センサーが検出した温度に応じて、放射線量の算出に用いるカウント数のエネルギー帯を選択する制御部と、制御部が選択したエネルギー帯におけるカウント数に基づいて、放射線量を算出する放射線量算出部とを備える。【選択図】図２
2014085183.tif 000002
【特許請求の範囲】
【請求項１】
入射された放射線のエネルギーに応じた信号を出力する放射線センサーと、
前記放射線センサーからの信号のレベルを値が異なる複数のしきい値の各々と比較して、前記信号のレベルが前記しきい値以上であればパルスを出力する比較器と、
前記比較器から出力されたパルスを前記しきい値毎にカウントするカウンターと、
前記カウンターによってカウントされた前記しきい値毎のカウント値から、前記複数のしきい値に基づく放射線のエネルギー帯毎のカウント数を算出するエネルギー帯別カウント数算出部と、
前記放射線センサーの温度を検出する温度センサーと、
前記温度センサーが検出した温度に応じて、放射線量の算出に用いるカウント数のエネルギー帯を選択する制御部と、
前記制御部が選択したエネルギー帯におけるカウント数に基づいて、放射線量を算出する放射線量算出部と、
を備えたことを特徴とする放射線測定装置。
【請求項２】
請求項１に記載の放射線測定装置であって、
前記放射線量算出部は、前記温度センサーが検出した温度によって異なる線量寄与係数を前記制御部が選択したエネルギー帯の各カウント数に乗算した値に基づいて、放射線量を算出することを特徴とする放射線測定装置。
【請求項３】
請求項１又は２に記載の放射線測定装置であって、
前記制御部は、選択したエネルギー帯におけるカウント数の合計である利用カウント総数が、放射線量を所定の桁数で表示するディスプレイにおける表示誤差を考慮した、所望の測定精度を満足するために必要なカウント数である規定目標値未満であれば、前記ディスプレイに表示される放射線量を算出するよう前記放射線量算出部に指示することを特徴とする放射線測定装置。
【請求項４】
請求項３に記載の放射線測定装置であって、
前記制御部は、前記利用カウント総数が前記規定目標値以上であり、当該放射線測定装置が所望の測定精度を満足するために必要なカウント数である統計目標値に到達すれば、放射線量を算出するよう前記放射線量算出部に指示することを特徴とする放射線測定装置。
【請求項５】
請求項１〜４のいずれか一項に記載の放射線測定装置であって、
前記制御部が選択するエネルギー帯は、前記複数のしきい値に基づく複数のエネルギー帯の内の少なくとも１つであることを特徴とする放射線測定装置。
【請求項６】
請求項５に記載の放射線測定装置であって、
前記温度センサーが検出した温度が第１所定値以上であるとき、前記制御部が選択するエネルギー帯には、前記複数のしきい値に基づく複数のエネルギー帯の内の最も低いエネルギー帯は含まれないことを特徴とする放射線測定装置。
【請求項７】
請求項６に記載の放射線測定装置であって、
前記温度センサーが検出した温度が前記第１所定値よりも高い所定値以上であるとき、前記制御部が選択するエネルギー帯には、前記複数のしきい値に基づく複数のエネルギー帯の内の最も低いエネルギー帯及び選択されたエネルギー帯より低いエネルギー帯は含まれないことを特徴とする放射線測定装置。
【請求項８】
入射された放射線のエネルギーに応じた信号を出力する放射線センサーと、
前記放射線センサーからの信号のレベルを値が異なる複数のしきい値の各々と比較して、前記信号のレベルが前記しきい値以上であればパルスを出力する比較器と、
前記比較器から出力されたパルスを前記しきい値毎にカウントするカウンターと、
前記カウンターによってカウントされた前記しきい値毎のカウント値から、前記複数のしきい値に基づく放射線のエネルギー帯毎のカウント数を算出するエネルギー帯別カウント数算出部と、
前記エネルギー帯別カウント数算出部によって算出されたエネルギー帯毎のカウント数に基づいて、放射線量を算出する放射線量算出部と、
エネルギー帯毎のカウント総数が、放射線量を所定の桁数で表示するディスプレイにおける表示誤差を考慮した、所望の測定精度を満足するために必要なカウント数である規定目標値未満であれば、前記ディスプレイに表示される放射線量を算出するよう前記放射線量算出部に指示する制御部と、
を備えたことを特徴とする放射線測定装置。
【請求項９】
請求項８に記載の放射線測定装置であって、
前記制御部は、エネルギー帯計である利用カウント総数が前記規定目標値以上であり、当該放射線測定装置が所望の測定精度を満足するために必要なカウント数である統計目標値に到達すれば、放射線量を算出するよう前記放射線量算出部に指示することを特徴とする放射線測定装置。
【請求項１０】
請求項８に記載の放射線測定装置であって、
前記放射線センサーの温度を検出する温度センサーを備え、
前記制御部は、前記温度センサーが検出した温度に応じて、前記放射線量算出部が放射線量の算出に用いるカウント数のエネルギー帯を選択し、当該選択したエネルギー帯におけるカウント数の合計である利用カウント総数が前記規定目標値未満であれば、放射線量を算出するよう前記放射線量算出部に指示することを特徴とする放射線測定装置。
【請求項１１】
入射された放射線のエネルギーに応じた信号を出力する放射線センサーからの信号のレベルを値が異なる複数のしきい値の各々と比較して、前記信号のレベルが前記しきい値以上であればパルスを出力するステップと、
出力されたパルスを前記しきい値毎にカウントするステップと、
カウントされた前記しきい値毎のカウント値から、前記複数のしきい値に基づく放射線のエネルギー帯毎のカウント数を算出するステップと、
前記放射線センサーの温度に応じて、放射線量の算出に用いるカウント数のエネルギー帯を選択するステップと、
選択したエネルギー帯におけるカウント数に基づいて放射線量を算出するステップと、
を有することを特徴とする放射線測定方法。
【請求項１２】
入射された放射線のエネルギーに応じた信号を出力する放射線センサーからの信号のレベルを値が異なる複数のしきい値の各々と比較して、前記信号のレベルが前記しきい値以上であればパルスを出力するステップと、
出力されたパルスを前記しきい値毎にカウントするステップと、
カウントされた前記しきい値毎のカウント値から、前記複数のしきい値に基づく放射線のエネルギー帯毎のカウント数を算出するステップと、
エネルギー帯毎のカウント総数が、放射線量を所定の桁数で表示するディスプレイにおける表示誤差を考慮した、所望の測定精度を満足するために必要なカウント数である規定目標値未満であれば、エネルギー帯毎のカウント数に基づいて前記ディスプレイに表示される放射線量を算出するステップと、
を有することを特徴とする放射線測定方法。
【請求項１３】
コンピュータに、請求項１１に記載の各ステップを実行させるための放射線測定プログラム。
【請求項１４】
コンピュータに、請求項１２に記載の各ステップを実行させるための放射線測定プログラム。
【発明の詳細な説明】
【技術分野】
【０００１】
本発明は、簡単に設置でき経時測定を行う放射線測定装置、放射線測定方法及び放射線測定プログラムに関する。
【背景技術】
【０００２】
文部科学省は、複数の特定地点に設置された放射線測定器である定置式又は可搬式のモニタリングポストが測定した放射線モニタリング情報を提供している（http://radioactivity.mext.go.jp/ja/）。モニタリングポストが測定した空気中の放射線（空間線量）を示す情報は通信ネットワークを介してサーバ等に集約され、空間線量の時系列データ等がインターネット等を介して閲覧可能である。
【０００３】
空間線量を測定する放射線測定器としては、上記説明したモニタリングポストの他、ハンディ型のサーベイメーター及び簡易型のポータブル線量計がある。モニタリングポストには、測定結果の信頼性を維持することを目的として、筐体内部の温度を調整するための装置が設けられる。このため、モニタリングポストは、機器寸法が比較的大きくかつ高額である。また、モニタリングポストの設置場所は、学校又は公共機関等に限られる。このため、モニタリングポストからの情報だけでは密なマッピングデータが得られない。
【０００４】
一方、ハンディ型のサーベイメーターは、高性能だが比較的高額である。また、個人で安価に購入可能なポータブル線量計は、エネルギー補償がされていないものが多いため測定に誤差が生じ、測定結果のばらつきが大きい。さらに、サーベイメーター及びポータブル線量計では、経時的な測定が困難である。
【先行技術文献】
【特許文献】
【０００５】
【特許文献１】特開２００１−２１５２７７号公報
【発明の概要】
【発明が解決しようとする課題】
【０００６】
環境の放射線量を測定するのに用いられる検出器には、シンチレーション式検出器、半導体検出器、電離箱、ＧＭ計数管がある。サーベイメーター等の高性能なものには、シンチレーション式検出器を用いるのが一般的である。
【０００７】
シンチレーション式の放射線測定器は、シンチレータと、光電子増倍管又はフォトダイオード等の光電変換素子とから構成される放射線センサーを備える。シンチレータは、放射線（例えばγ線）のエネルギーに応じた光量の光を発する。光電変換素子は、シンチレータの発光を検知して電気信号に変換する。放射線測定器は、光電変換素子からの電気信号の電圧値がしきい値を超えた回数をカウントすることで放射線量を算出する。
【０００８】
但し、光電変換素子は、一般的に、温度上昇に伴って暗電流が増加する特性を有する。図１１は、光電変換素子の温度特性の一例を示すグラフである。図１１には、１５０ｋｅＶ以上の放射線が入射されたために光電変換素子からの電気信号の電圧値が第１しきい値を超えた回数（カウント値）が黒丸で示される。また、２５０ｋｅＶ以上の放射線が入射されたために電圧値が第２しきい値を超えた回数（カウント値）が白丸で示される。なお、第１しきい値は第２しきい値よりも低い。
【０００９】
図１１に示すように、温度が約４２度までは一定したカウント値が得られる。しかし、温度が約４２度を超えると、カウント値は温度上昇に従って増加する。この温度特性は、温度上昇に伴って光電変換素子で増加する暗電流によるものと考えられる。すなわち、暗電流の値がしきい値を超えると誤カウントが発生する。この誤カウントは、第２しきい値を用いた２５０ｋｅＶ以上の放射線の測定よりも、第２しきい値よりも低い第１しきい値を用いた１５０ｋｅＶ以上の放射線の測定において顕著に発生する。このように、放射線測定器の構成要素として光電変換素子を利用する限り、当該放射線測定器の環境温度が上昇すると、測定結果の信頼性が低下してしまう。
【００１０】
また、シンチレーション式の放射線測定器における測定時間は、測定する放射線の線量が小さいほど長くなる。上述したように、放射線測定器では、光電変換素子からの電気信号の電圧値がしきい値を超えた回数がカウントされる。放射線測定器は、値が異なる複数のしきい値に対するエネルギー帯毎のカウント数に係数を乗じる等の手法により放射線量を算出する。但し、放射線測定器が所望の精度で測定を行うためには、各エネルギー帯の総カウント数が所定数以上である必要がある。
【００１１】
以下、放射線測定器の測定精度と測定時間に関する考え方について説明する。統計モデルとして正規分布を用いた場合、真の値は９９．７４％の確率で平均値±３σの範囲に包含される。ここで、σは標準偏差である。１回の測定に必要な総カウント数Ｎは相対標準偏差Ｐ＝３σ／Ｎ、σ＝√Ｎより、Ｎ＝９／Ｐ２で求めることができる。測定精度を１５％とすると、Ｎ＝４００となる。但し、測定結果を表示する場合、その有効数字の最小桁に測定誤差以外の誤差が含まれる。その測定誤差以外の誤差が１５％以上になる場合、４００カウントに到達するまで放射線の検出を続けても誤差は小さくならない。
【００１２】
図１２は、放射線測定器が所望の精度で測定を行うために必要な総カウント数が４００であるときの測定結果の表示値と測定時間との関係の一例を示すグラフである。図１２に示すように、放射線測定器が４００カウントに到達するまで放射線の検出を続ける場合、測定結果の表示値が０．０６μＳｖ／ｈ以下では長い測定時間を要する。また、測定結果の表示値が小さい程、長い測定時間が必要である。このように、放射線測定器が所望の精度で線量の小さい放射線を測定する際には、測定が完了するまでに長時間かかる。
【００１３】
本発明の目的は、屋内外設置に対応した経時測定が可能な放射線測定装置、放射線測定方法及び放射線測定プログラムを提供することである。
【課題を解決するための手段】
【００１４】
本発明は、入射された放射線のエネルギーに応じた信号を出力する放射線センサーと、前記放射線センサーからの信号のレベルを値が異なる複数のしきい値の各々と比較して、前記信号のレベルが前記しきい値以上であればパルスを出力する比較器と、前記比較器から出力されたパルスを前記しきい値毎にカウントするカウンターと、前記カウンターによってカウントされた前記しきい値毎のカウント値から、前記複数のしきい値に基づく放射線のエネルギー帯毎のカウント数を算出するエネルギー帯別カウント数算出部と、前記放射線センサーの温度を検出する温度センサーと、前記温度センサーが検出した温度に応じて、放射線量の算出に用いるカウント数のエネルギー帯を選択する制御部と、前記制御部が選択したエネルギー帯におけるカウント数に基づいて、放射線量を算出する放射線量算出部と、を備えた放射線測定装置を提供する。
【００１５】
上記放射線測定装置では、前記放射線量算出部は、前記温度センサーが検出した温度によって異なる線量寄与係数を前記制御部が選択したエネルギー帯の各カウント数に乗算した値に基づいて、放射線量を算出する。
【００１６】
上記放射線測定装置では、前記制御部は、選択したエネルギー帯におけるカウント数の合計である利用カウント総数が、放射線量を所定の桁数で表示するディスプレイにおける表示誤差を考慮した、所望の測定精度を満足するために必要なカウント数である規定目標値未満であれば、前記ディスプレイに表示される放射線量を算出するよう前記放射線量算出部に指示する。
【００１７】
上記放射線測定装置では、前記制御部は、前記利用カウント総数が前記規定目標値以上であり、当該放射線測定装置が所望の測定精度を満足するために必要なカウント数である統計目標値に到達すれば、放射線量を算出するよう前記放射線量算出部に指示する。
【００１８】
上記放射線測定装置では、前記制御部が選択するエネルギー帯は、前記複数のしきい値に基づく複数のエネルギー帯の内の少なくとも１つである。
【００１９】
上記放射線測定装置では、前記温度センサーが検出した温度が第１所定値以上であるとき、前記制御部が選択するエネルギー帯には、前記複数のしきい値に基づく複数のエネルギー帯の内の最も低いエネルギー帯は含まれない。
【００２０】
上記放射線測定装置では、前記温度センサーが検出した温度が前記第１所定値よりも高い所定値以上であるとき、前記制御部が選択するエネルギー帯には、前記複数のしきい値に基づく複数のエネルギー帯の内の最も低いエネルギー帯及び選択されたエネルギー帯より低いエネルギー帯は含まれない。
【００２１】
本発明は、入射された放射線のエネルギーに応じた信号を出力する放射線センサーと、前記放射線センサーからの信号のレベルを値が異なる複数のしきい値の各々と比較して、前記信号のレベルが前記しきい値以上であればパルスを出力する比較器と、前記比較器から出力されたパルスを前記しきい値毎にカウントするカウンターと、前記カウンターによってカウントされた前記しきい値毎のカウント値から、前記複数のしきい値に基づく放射線のエネルギー帯毎のカウント数を算出するエネルギー帯別カウント数算出部と、前記エネルギー帯別カウント数算出部によって算出されたエネルギー帯毎のカウント数に基づいて、放射線量を算出する放射線量算出部と、エネルギー帯毎のカウント総数が、放射線量を所定の桁数で表示するディスプレイにおける表示誤差を考慮した、所望の測定精度を満足するために必要なカウント数である規定目標値未満であれば、前記ディスプレイに表示される放射線量を算出するよう前記放射線量算出部に指示する制御部と、を備えた放射線測定装置を提供する。
【００２２】
上記放射線測定装置では、前記制御部は、エネルギー帯計である利用カウント総数が前記規定目標値以上であり、当該放射線測定装置が所望の測定精度を満足するために必要なカウント数である統計目標値に到達すれば、放射線量を算出するよう前記放射線量算出部に指示する。
【００２３】
上記放射線測定装置は、前記放射線センサーの温度を検出する温度センサーを備え、前記制御部は、前記温度センサーが検出した温度に応じて、前記放射線量算出部が放射線量の算出に用いるカウント数のエネルギー帯を選択し、当該選択したエネルギー帯におけるカウント数の合計である利用カウント総数が前記規定目標値未満であれば、放射線量を算出するよう前記放射線量算出部に指示する。
【００２４】
本発明は、入射された放射線のエネルギーに応じた信号を出力する放射線センサーからの信号のレベルを値が異なる複数のしきい値の各々と比較して、前記信号のレベルが前記しきい値以上であればパルスを出力するステップと、出力されたパルスを前記しきい値毎にカウントするステップと、カウントされた前記しきい値毎のカウント値から、前記複数のしきい値に基づく放射線のエネルギー帯毎のカウント数を算出するステップと、前記放射線センサーの温度に応じて、放射線量の算出に用いるカウント数のエネルギー帯を選択するステップと、選択したエネルギー帯におけるカウント数に基づいて放射線量を算出するステップと、を有する放射線測定方法を提供する。
【００２５】
本発明は、入射された放射線のエネルギーに応じた信号を出力する放射線センサーからの信号のレベルを値が異なる複数のしきい値の各々と比較して、前記信号のレベルが前記しきい値以上であればパルスを出力するステップと、出力されたパルスを前記しきい値毎にカウントするステップと、カウントされた前記しきい値毎のカウント値から、前記複数のしきい値に基づく放射線のエネルギー帯毎のカウント数を算出するステップと、エネルギー帯毎のカウント総数が、放射線量を所定の桁数で表示するディスプレイにおける表示誤差を考慮した、所望の測定精度を満足するために必要なカウント数である規定目標値未満であれば、エネルギー帯毎のカウント数に基づいて前記ディスプレイに表示される放射線量を算出するステップと、を有する放射線測定方法を提供する。
【００２６】
本発明は、コンピュータに、上記放射線測定方法に記載の各ステップを実行させるための放射線測定プログラムを提供する。
【発明の効果】
【００２７】
本発明に係る放射線測定装置、放射線測定方法及び放射線測定プログラムによれば、屋内外に簡単に設置でき経時測定が可能である。
【図面の簡単な説明】
【００２８】
【図１】一実施形態の放射線測定装置を含む放射線モニタリングシステムの構成を示す図
【図２】測定局１００の測定モジュールに係る内部構成を示すブロック図
【図３】タイマー１１１による計時時間中のカウンター１０７Ａ〜１０７Ｄによるカウントの一例と、当該例におけるカウント値Ｖａ〜Ｖｄと、エネルギー帯別カウント数Ｃａ〜Ｃｄとを示す図
【図４】温度に応じた暗電流の大きさと各エネルギー帯との関係を示す図
【図５】測定局１００が放射線を測定する際の動作を示すフローチャート
【図６】放射線量を測定するときの、タイマー１１１による計時毎に得られた各値を表形式で示す図
【図７】放射線量を測定するときの、タイマー１１１による計時毎に得られた各値を表形式で示す図
【図８】放射線量を測定するときの、タイマー１１１による計時毎に得られた各値を表形式で示す図
【図９】放射線量の算出値に対する、利用カウント総数が統計目標値に到達するまでの測定時間及び利用カウント総数が規定目標値未満となった時点までの測定時間の一例を示すグラフ
【図１０】温度に応じた暗電流の大きさと各エネルギー帯との関係を示す図
【図１１】光電変換素子の温度特性の一例を示すグラフ
【図１２】放射線測定器が所望の精度で測定を行うために必要な総カウント数が４００であるときの測定結果の表示値と測定時間との関係の一例を示すグラフ
【発明を実施するための形態】
【００２９】
以下、本発明の実施形態について、図面を参照して説明する。
【００３０】
図１は、一実施形態の放射線測定装置を含む放射線モニタリングシステムの構成を示す図である。図１に示す放射線モニタリングシステムでは、例えば学校の敷地の数カ所にシンチレーション式の放射線測定装置（以下「測定局」という）１００が設置され、各測定局１００が測定した放射線量に関する測定データが無線信号でデータ収集装置２０１に送られる。なお、定置型の測定局１００は定期的に放射線量を測定し、そのたびに測定データをデータ収集装置２０１に送る。データ収集装置２０１は、各測定局１００から得られたデータをネットワーク２０３を介してサーバ２０５に送る。放射線モニタリングシステムの利用者がサーバ２０５にアクセスすれば、学校における放射線の測定結果を閲覧できる。このように、本実施形態では、測定局１００が学校又は公園等の敷地の特に屋外に複数個設置される状態が考えられる。
【００３１】
図２は、測定局１００の測定モジュールに係る内部構成を示すブロック図である。図２に示すように、測定局１００は、放射線センサー１０１と、増幅器１０３と、増幅器１０３の出力側に並列に設けられた４つの比較器１０５Ａ〜１０５Ｄと、各比較器に対応する４つのカウンター１０７Ａ〜１０７Ｄと、エネルギー帯別カウント数算出部１０９と、タイマー１１１と、温度センサー１１３と、制御部１１５と、メモリ１１７と、放射線量算出部１１９と、ディスプレイ１２０とを備える。なお、比較器１０５Ａ〜１０５Ｄ、カウンター１０７Ａ〜１０７Ｄ、エネルギー帯別カウント数算出部１０９、制御部１１５及び放射線量算出部１１９は、プログラムを実行することで各構成要素として機能するコンピュータによって実現されても良い。
【００３２】
以下、図２に示した測定局１００の各構成要素について説明する。
【００３３】
放射線センサー１０１は、シンチレータ１２１と、フォトダイオード１２３とを有する。なお、フォトダイオード１２３の代わりに光電子増倍管であっても良い。シンチレータ１２１は、入射された放射線（例えばγ線）のエネルギーに応じた光量の光を発する。すなわち、シンチレータ１２１は、高エネルギーの放射線が入射された際には高い光量の光を発する。フォトダイオード１２３は、シンチレータ１２１の発光を検知して、発光量に応じて電流値が異なる電気信号に変換する。すなわち、フォトダイオード１２３は、シンチレータ１２１の発光量が大きいほど高い電流値の電気信号を出力する。なお、フォトダイオード１２３には、受光しないときにも暗電流が流れる。当該暗電流は、フォトダイオード１２３の周囲温度が高いと増加する。
【００３４】
増幅器１０３は、放射線センサー１０１のフォトダイオード１２３から出力された電気信号を増幅する。
【００３５】
比較器１０５Ａ〜１０５Ｄは、増幅器１０３によって増幅された電気信号の電圧値をそれぞれ異なるしきい値と比較し、電気信号の電圧値がしきい値以上であればパルス（デジタル信号）を出力する。なお、比較器１０５Ａ〜１０５Ｄに設定される各しきい値は、シンチレータ１２１に入射された放射線のエネルギーの大きさに応じて予め決定された値である。本実施形態では、１５０ｋｅＶの放射線が入射された際のシンチレータ１２１の発光量に対するフォトダイオード１２３の出力信号が増幅された電圧値が比較器１０５Ａのしきい値に設定される。したがって、比較器１０５Ａは、１５０ｋｅＶ以上の放射線がシンチレータ１２１に入射されたときにパルスを出力する。
【００３６】
同様に、２５０ｋｅＶの放射線が入射された際の増幅器１０３の出力電圧値が比較器１０５Ｂのしきい値に設定され、４００ｋｅＶの放射線が入射された際の増幅器１０３の出力電圧値が比較器１０５Ｃのしきい値に設定され、８００ｋｅＶの放射線が入射された際の増幅器１０３の出力電圧値が比較器１０５Ｄのしきい値に設定される。したがって、比較器１０５Ｂは、２５０ｋｅＶ以上の放射線がシンチレータ１２１に入射されたときにパルスを出力し、比較器１０５Ｃは、４００ｋｅＶ以上の放射線がシンチレータ１２１に入射されたときにパルスを出力し、比較器１０５Ｄは、８００ｋｅＶ以上の放射線がシンチレータ１２１に入射されたときにパルスを出力する。
【００３７】
カウンター１０７Ａ〜１０７Ｄは、タイマー１１１による一度の計時時間（例えば１分間）中に、対応する比較器から出力されたパルスの回数をカウントする。本実施形態では、カウンター１０７Ａが比較器１０５Ａに対応し、カウンター１０７Ｂが比較器１０５Ｂに対応し、カウンター１０７Ｃが比較器１０５Ｃに対応し、カウンター１０７Ｄが比較器１０５Ｄに対応する。カウンター１０７Ａによるカウント値Ｖａはエネルギー帯別カウント数算出部１０９に入力される。同様に、カウンター１０７Ｂによるカウント値Ｖｂも、カウンター１０７Ｃによるカウント値Ｖｃも、カウンター１０７Ｄによるカウント値Ｖｄも、エネルギー帯別カウント数算出部１０９に入力される。
【００３８】
エネルギー帯別カウント数算出部１０９は、カウンター１０７Ａ〜１０７Ｄから得られたカウント値Ｖａ〜Ｖｄから、比較器１０５Ａ〜１０５Ｄの各しきい値に基づく放射線のエネルギー帯毎のカウント数Ｃａ〜Ｃｄを算出する。本実施形態では、１５０ｋｅＶ〜２５０ｋｅＶのエネルギー帯（以下「極低エネルギー帯」という）におけるカウント数Ｃａ＝Ｖａ−Ｖｂ、２５０ｋｅＶ〜４００ｋｅＶのエネルギー帯（以下「低エネルギー帯」という）におけるカウント数Ｃｂ＝Ｖｂ−Ｖｃ、４００ｋｅＶ〜８００ｋｅＶのエネルギー帯（以下「中エネルギー帯」という）におけるカウント数Ｃｃ＝Ｖｃ−Ｖｄ、８００ｋｅＶ以上のエネルギー帯（以下「高エネルギー帯」という）におけるカウント数Ｃｄ＝Ｖｄの関係から各カウント数が算出される。
【００３９】
図３は、タイマー１１１による計時時間中のカウンター１０７Ａ〜１０７Ｄによるカウントの一例と、当該例におけるカウント値Ｖａ〜Ｖｄと、エネルギー帯別カウント数Ｃａ〜Ｃｄとを示す図である。図３に示す例では、計時時間中にカウント値Ｖａ＝１８，Ｖｂ＝１１，Ｖｃ＝８，Ｖｄ＝６が得られる。このため、エネルギー帯別カウント数算出部１０９は、１５０ｋｅＶ〜２５０ｋｅＶの極低エネルギー帯におけるカウント数Ｃａ＝７を算出し、２５０ｋｅＶ〜４００ｋｅＶの低エネルギー帯におけるカウント数Ｃｂ＝３を算出し、４００ｋｅＶ〜８００ｋｅＶの中エネルギー帯におけるカウント数Ｃｃ＝２を算出し、８００ｋｅＶ以上の高エネルギー帯におけるカウント数Ｃｄ＝６を算出する。
【００４０】
タイマー１１１は、所定時間（例えば１分間）を計時する。以下、タイマー１１１が１回の動作で計時する時間を「計時時間」という。タイマー１１１からは、計時開始及び計時終了の各信号がカウンター１０７Ａ〜１０７Ｄ及び制御部１１５に入力される。
【００４１】
温度センサー１１３は、放射線センサー１０１が有するフォトダイオード１２３の周囲温度を検出する。温度センサー１１３が検出した温度を示す信号は、制御部１１５に入力される。
【００４２】
制御部１１５は、タイマー１１１による計時の開始を制御する。また、制御部１１５は、温度センサー１１３が検出した温度（以下、単に「温度」という）に応じて、放射線量算出部１１９が放射線量の算出に用いるカウント数のエネルギー帯を選択する。本実施形態では、制御部１１５は、温度が４０度未満であれば、極低エネルギー帯、低エネルギー帯、中エネルギー帯及び高エネルギー帯の全てのエネルギー帯におけるカウント数Ｃａ，Ｃｂ，Ｃｃ，Ｃｄを用いて放射線量の算出を行うよう、放射線量算出部１１９に指示する。
【００４３】
一方、温度が４０度以上であれば、放射線センサー１０１のフォトダイオード１２３を流れる暗電流は大きく、このときの極低エネルギー帯におけるカウント数Ｃａには、この暗電流によるパルスをカウンター１０７Ａがカウントした回数も多く含まれていると考えられる。図４は、温度に応じた暗電流の大きさと各エネルギー帯との関係を示す図である。制御部１１５は、温度が４０度以上であれば、低エネルギー帯、中エネルギー帯及び高エネルギー帯の各エネルギー帯におけるカウント数Ｃｂ，Ｃｃ，Ｃｄを用いて放射線量の算出を行うよう、放射線量算出部１１９に指示する。
【００４４】
また、制御部１１５は、選択したエネルギー帯（以下「選択エネルギー帯」という）におけるカウント数の合計（以下「利用カウント総数」という）が、所望の測定精度を満足する統計理論から得られる統計目標値（例えば４００カウント）に到達したかを判断する。すなわち、制御部１１５は、温度が４０度未満であれば、カウント数Ｃａ，Ｃｂ，Ｃｃ，Ｃｄの合計（利用カウント総数）が統計目標値以上であるかを判断し、４０度以上であれば、カウント数Ｃｂ，Ｃｃ，Ｃｄの合計（利用カウント総数）が統計目標値以上であるかを判断する。
【００４５】
制御部１１５は、利用カウント総数が統計目標値以上であれば、上述したように、選択エネルギー帯の各カウント数を用いて放射線量の算出を行うよう、放射線量算出部１１９に指示する。一方、利用カウント総数が統計目標値未満であれば、タイマー１１１による計時、計時時間中のパルスのカウント及び温度センサー１１３による温度検出を再び行い、制御部１１５は、先の計時時間中に得られた利用カウント総数に、今回の計時時間中に得られた温度に応じた選択エネルギー帯のカウント総数を累積して、その累計値を利用カウント総数として算出する。すなわち、制御部１１５は、利用カウント総数を更新する。その後、制御部１１５は、更新された利用カウント総数が統計目標値に到達したかを判断する。
【００４６】
なお、タイマー１１１による計時と計時時間中のパルスのカウントが複数回行われる間に、温度が４０度未満から４０度以上に一度でも変化したとき、制御部１１５は、更新された利用カウント総数には、極低エネルギー帯におけるカウント数Ｃａを含めない。
【００４７】
上述の説明では、利用カウント総数が統計目標値未満であれば、タイマー１１１による計時、計時時間中のパルスのカウント及び温度センサー１１３による温度検出を含む動作を再び行うと説明したが、本実施形態では、利用カウント総数が後述する規定目標値未満となれば上記動作は行われず、その時点で得られている選択エネルギー帯の各カウント数を用いて放射線量の算出を行うよう、放射線量算出部１１９に指示する。規定目標値は、タイマー１１１による計時の繰り返し回数によって異なる。なお、選択エネルギー帯における一度の計時時間中の総カウント数が規定目標カウント率の値以上でなければ上記動作は行われないといった形態でも良い。ただし、その場合、規定目標カウント率の値には、統計的なばらつきを補正した値を用いる。
【００４８】
メモリ１１７は、選択エネルギー帯の各カウント数に乗算される線量寄与係数を記憶する。なお、線量寄与係数は、制御部１１５がエネルギー帯を選択する際の温度に基づき、選択エネルギー帯毎に予め設定された係数である。例えば、温度が４０度未満の場合に用いられる線量寄与係数として、選択されたエネルギー帯である極低エネルギー帯に対しては０．２、低エネルギー帯に対しては０．５、中エネルギー帯に対しては０．８、高エネルギー帯に対しては０．３が設定されている。また、温度が４０度以上の場合に用いられる線量寄与係数として、選択されたエネルギー帯である低エネルギー帯に対しては０．６、中エネルギー帯に対しては０．９、高エネルギー帯に対しては０．４が設定されている。なお、温度は異なるが同じエネルギー帯が選択された場合であっても、各温度に対して選択エネルギー帯毎に異なる線量寄与係数が設定されても良い。
【００４９】
上記線量寄与係数は、例えばレスポンス行列法によって予め算出される。レスポンス行列法とは、予め特定の光子エネルギーを定め、弁別した波高分布に見合うレスポンス関数、すなわちエネルギー領域毎の数値行列を作り、実測した補正波高分布に対し各エネルギーの行列を連立方程式及び逆行列を解くことによって線量寄与計数を求める方法である。
【００５０】
放射線量算出部１１９は、制御部１１５からの指示に応じて、メモリ１１７が記憶する温度に応じた線量寄与係数を選択エネルギー帯の各カウント数に乗算した値に基づいて、ディスプレイ１２０に表示される放射線量を算出する。
【００５１】
ディスプレイ１２０は、放射線量算出部１１９が算出した放射線量として、例えば、小数第２位までの桁の数値をデジタル形式で表示する。放射線量算出部１１９が算出した放射線量０．０１７μＳｖ／ｈは、「０．０１μＳｖ／ｈ」とディスプレイ１２０に表示される。このように、放射線量算出部１１９が小数第３位以上の精度で放射線量を算出しても、ディスプレイ１２０にこの放射線量が表示される際には、結果として小数第３位は切り捨てられた数値が表示される。したがって、ディスプレイ１２０に表示される数値の最小桁（小数第２位）には誤差が含まれる。これを表示誤差という。
【００５２】
以下、利用カウント総数が統計目標値未満であるとき、制御部１１５が当該利用カウント総数と比較する「規定目標値」について詳細に説明する。まず、ディスプレイ１２０に表示される表示値の表示範囲を、小数第３位を切り捨て、小数第２位まで表示するとした場合、表示誤差率[％]は、以下の式によって求められる。
（表示誤差率）［％］＝｛（表示誤差上限値）−（表示値）｝／（表示値）×１００
【００５３】
例えば、表示値が０．０１μＳｖ／ｈであるとき、表示誤差上限値は０．０１９μＳｖ／ｈである。よって、このときの表示誤差率は、
（表示誤差率）＝｛（０．０１９−０．０１）／０．０１｝×１００＝９０［％］
と算出される。
【００５４】
上記誤差率を考慮した放射線量を求めるために必要なカウント数が「規定目標値」である。当該規定目標値に対応する規定目標カウント率［ｃｐｍ（count per minute）］は、以下の計算式によって求められる。
（規定目標カウント率）［ｃｐｍ］＝（表示値）［μＳｖ／ｈ］×（センサー感度）［ｃｐｍ／（μＳｖ／ｈ）］
センサー感度とは、１μＳｖ／ｈの放射線量で１分間に測定局１００がカウントできる能力を示す。
【００５５】
なお、上述した規定目標値及び規定目標カウント率と測定時間との関係は以下の計算式によって求められる。
（測定時間）［分］＝（規定目標値）／（規定目標カウント率）［ｃｐｍ］
【００５６】
図６〜図８は、放射線量を測定するときの、タイマー１１１による計時毎に得られた各値を表形式で示す図である。図６に示した例では、タイマー１１１による５回目の計時が終了した時点での総カウント数が規定目標値未満となる。図７に示した例では、タイマー１１１による７回目の計時が終了した時点での総カウント数が規定目標値未満となる。図８に示した例では、タイマー１１１による１２回目の計時が終了した時点での総カウント数が規定目標値未満となる。放射線量算出部１１９は、総カウント数が規定目標値に到達しない時点までに得られた選択エネルギー帯の各カウント数に線量寄与係数を乗算した値に基づいて、放射線量を算出する。ディスプレイ１２０は、放射線量算出部１１９にて算出された前記放射線量を、所定の表示桁数である小数点以下２桁で表示する。
【００５７】
次に、測定局１００が放射線の測定を行う際の動作について詳細に説明する。図５は、測定局１００が放射線を測定する際の動作を示すフローチャートである。図５に示すように、測定局１００は、所定時刻になると、図２に内部構成を示した測定モジュールの電源をオンする（ステップＳ１０１）。次に、制御部１１５は、タイマー１１１の計時を開始する（ステップＳ１０３）。次に、タイマー１１１の計時中に得られたカウンター１０７Ａ〜１０７Ｄによるカウント値Ｖａ〜Ｖｄが、エネルギー帯別カウント数算出部１０９に蓄積される（ステップＳ１０５）。次に、タイマー１１１の計時が終了すると（ステップＳ１０７）、エネルギー帯別カウント数算出部１０９は、放射線のエネルギー帯毎のカウント数Ｃａ〜Ｃｄを算出する（ステップＳ１０９）。
【００５８】
次に、温度センサー１１３は温度を検出し（ステップＳ１１１）、制御部１１５は、放射線量算出部１１９が放射線量の算出のために用いるカウント数のエネルギー帯を、温度に応じて選択する（ステップＳ１１３）。次に、制御部１１５は、選択エネルギー帯におけるカウント数の合計（カウント総数）を累積し、その累計値を利用カウント総数として算出する（ステップＳ１１４）。次に、制御部１１５は、利用カウント総数が統計目標値（例えば４００カウント）以上であるかを判断し（ステップＳ１１５）、利用カウント総数≧統計目標値であればステップＳ１１７に進み、利用カウント総数＜統計目標値であればステップＳ１２１に進む。
【００５９】
ステップＳ１１７では、放射線量算出部１１９は、ステップＳ１１１で検出した温度に応じた線量寄与係数を選択エネルギー帯の各カウント数に乗算した値に基づいて、放射線量を算出する。次に、測定局１００は、測定モジュールの電源をオフする（ステップＳ１１９）。一方、ステップＳ１２１では、制御部１１５は、利用カウント総数が規定目標値以上であるかを判断し、利用カウント総数≧規定目標値であればステップＳ１０３に戻り、利用カウント総数＜規定目標値であればステップＳ１１７に進む。
【００６０】
なお、放射線量を算出するステップＳ１１７の処理は測定局１００の放射線量算出部１１９に限らず、図１に示したデータ収集装置２０１又はサーバが行っても良い。この場合、測定局１００は、ステップＳ１１７の前段階までに得られた選択エネルギー帯の各カウント数を示す信号をデータ収集装置２０１に送る。
【００６１】
以上説明したように、本実施形態の測定局１００は、フォトダイオード１２３の周囲温度に応じて、放射線量の算出に用いるカウント数のエネルギー帯を選択する。特に、温度が高いときは、フォトダイオード１２３を流れる暗電流が大きいため、この暗電流によるパルスをカウントした回数が多く含まれていると考えられるカウント数のエネルギー帯（極低エネルギー帯）は選択されない。したがって、測定局１００の環境温度が４０度〜５０度といった高温下での測定時にも、測定局１００の環境温度上昇に伴う測定結果の信頼性の低下を防ぐことができる。
【００６２】
また、本実施形態では、選択エネルギー帯における利用カウント総数が統計目標値に到達しないとき、当該利用カウント総数が規定目標値以上でなければ、測定局１００は放射線量の算出処理を行う。一度の計時時間で得られる選択エネルギー帯における総カウント数が非常に少ない場合、利用カウント総数が統計目標値に到達までには長時間を要する。しかし、本実施形態では、利用カウント総数が統計目標値に到達するまでに長時間要すると推測される場合には、利用カウント総数が規定目標値未満となった時点で放射線量の算出処理が実行される。
【００６３】
図９は、放射線量の算出値に対する、利用カウント総数が統計目標値に到達するまでの測定時間及び利用カウント総数が規定目標値未満となった時点までの測定時間の一例を示すグラフである。図９に示すように、放射線量の値が０．０６μＳｖ／ｈ以下の環境において、利用カウント総数が統計目標値に到達するまで測定を続けると、線量値が小さいほど測定時間は長くなる。しかし、本実施形態のように、利用カウント総数が規定目標値未満となった時点で放射線量の算出処理を行えば、測定が長時間に及ぶ事態を防止できる。その結果、測定局１００における電力消費を低減できる。
【００６４】
なお、本実施形態では、温度が４０度未満か４０度以上であるかの２つの場合に分けてエネルギー帯を選択しているが、この形態以外にも、例えば、温度が４０度未満の場合と、４０度以上４５度未満の場合と、４５度以上の場合とに分けてエネルギー帯を選択しても良い。このとき、制御部１１５は、例えば、４０度未満の場合には極低エネルギー帯、低エネルギー帯、中エネルギー帯及び高エネルギー帯の４つのエネルギー帯を選択し、４０度以上４５度未満の場合には低エネルギー帯、中エネルギー帯及び高エネルギー帯の３つのエネルギー帯を選択し、４５度以上の場合には中エネルギー帯及び高エネルギー帯の２つのエネルギー帯を選択する。
【００６５】
なお、エネルギー帯におけるカウント数については、１５０ｋｅＶ〜４００ｋｅＶのエネルギー帯（以下「低エネルギー帯１」という）におけるカウント数Ｃａ′＝Ｖａ−Ｖｃ、２５０ｋｅＶ〜４００ｋｅＶのエネルギー帯（以下「低エネルギー帯２」という）におけるカウント数Ｃｂ＝Ｖｂ−Ｖｃ、４００ｋｅＶ〜８００ｋｅＶのエネルギー帯（中エネルギー帯）におけるカウント数Ｃｃ＝Ｖｃ−Ｖｄ、８００ｋｅＶ以上のエネルギー帯（高エネルギー帯）におけるカウント数Ｃｄ＝Ｖｄとして各カウント数を算出してもよい。このとき、制御部１１５は、例えば、４０度未満の場合には低エネルギー帯１、中エネルギー帯及び高エネルギー帯の３つのエネルギー帯を選択し、４０度以上４５度未満の場合には低エネルギー帯２、中エネルギー帯及び高エネルギー帯の３つのエネルギー帯を選択し、４５度以上の場合には中エネルギー帯及び高エネルギー帯の２つのエネルギー帯を選択する。図１０は、温度に応じた選択エネルギー帯の各カウント数と暗電流との関係を示す図である。
【００６６】
また、本実施形態では、測定局１００の測定モジュールには、比較器及びモジュールがそれぞれ４つ設けられているが、それぞれ同数どうし複数個であれば４つに限らない。
【産業上の利用可能性】
【００６７】
本発明に係る放射線測定装置は、屋内外に簡単に設置でき経時測定を行う放射線測定装置等として有用である。
【符号の説明】
【００６８】
１００  測定局（シンチレーション式の放射線測定装置）
２０１  データ収集装置
２０３  ネットワーク
２０５  サーバ
１０１  放射線センサー
１０３  増幅器
１０５Ａ〜１０５Ｄ  比較器
１０７Ａ〜１０７Ｄ  カウンター
１０９  エネルギー帯別カウント数算出部
１１１  タイマー
１１３  温度センサー
１１５  制御部
１１７  メモリ
１１９  放射線量算出部
１２０  ディスプレイ
１２１  シンチレータ
１２３  フォトダイオード
【図１】
2014085183.tif 000003
【図２】
2014085183.tif 000004
【図３】
2014085183.tif 000005
【図４】
2014085183.tif 000006
【図５】
2014085183.tif 000007
【図６】
2014085183.tif 000008
【図７】
2014085183.tif 000009
【図８】
2014085183.tif 000010
【図９】
2014085183.tif 000011
【図１０】
2014085183.tif 000012
【図１１】
2014085183.tif 000013
【図１２】
2014085183.tif 000014